(57)【要約】  貨幣の識別処理に要する時間を短くし、確実に貨幣の識別処理を実行することが可能な貨幣処理装置。この装置は、貨幣の情報を読み取るセンサ部（６２，６３，６４）と、センサ部（６２，６３，６４）で読み取られた一の貨幣（Ｓ１）の情報に基づいて、一の貨幣（Ｓ１）を識別する第１のコア（６５１）と、センサ部（６２，６３，６４）で読み取られた別の貨幣（Ｓ２）の情報に基づいて、別の貨幣（Ｓ２）を識別する第２のコア（６５２）と、を有する。
2020003370.tif 000002
【特許請求の範囲】
【請求項１】
貨幣の情報を読み取るセンサ部と、
前記センサ部で読み取られた一の貨幣の情報に基づいて、前記一の貨幣を識別する第１のコアと、
前記センサ部で読み取られた別の貨幣の情報に基づいて、前記別の貨幣を識別する第２のコアと、
を有する貨幣処理装置。
【請求項２】
前記貨幣を搬送する搬送部をさらに有し、
前記センサ部は、前記搬送部によって搬送されている前記貨幣の情報を読み取る請求項１に記載の貨幣処理装置。
【請求項３】
前記第１のコアは、前記センサ部で読み取られた更に別の貨幣の情報に基づいて、前記更に別の貨幣を識別し、
前記別の貨幣は、前記一の貨幣の後に搬送される貨幣であり、
前記更に別の貨幣は、前記別の貨幣の後に搬送される貨幣である、請求項２に記載の貨幣処理装置。
【請求項４】
前記第２のコアは、前記第１のコアが前記一の貨幣の識別を行っている間に前記別の貨幣の識別を行う請求項１〜３の何れか１項に記載の貨幣処理装置。
【請求項５】
前記第１のコアは、前記センサ部で読み取られた前記一の貨幣の情報を一時的に記憶する第１の記憶部を備え、
前記第２のコアは、前記センサ部で読み取られた前記別の貨幣の情報を一時的に記憶する第２の記憶部を備える請求項１〜４の何れか１項に記載の貨幣処理装置。
【請求項６】
前記第１のコアは、前記一の貨幣の金種、真偽および正損を識別し、
前記第２のコアは、前記別の貨幣の金種、真偽および正損を識別する請求項１〜５の何れか１項に記載の貨幣処理装置。
【請求項７】
前記第１のコアと前記第２のコアは、一の演算装置に含まれる請求項１〜６の何れか１項に記載の貨幣処理装置。
【請求項８】
前記センサ部で読み取られた更に別の貨幣の情報に基づいて、前記更に別の貨幣を識別する第３のコアを更に有し、
前記別の貨幣は、前記一の貨幣の後に搬送される貨幣であり、
前記更に別の貨幣は、前記別の貨幣の後に搬送される貨幣である、請求項２に記載の貨幣処理装置。
【請求項９】
前記第１のコア、前記第２のコアおよび前記第３のコアを含むコア群を有し、
前記コア群に含まれる一つのコアでエラーが発生した場合、前記コア群に含まれる別のコアは、前記一の貨幣および前記更に別の貨幣を識別し、
前記コア群に含まれる更に別のコアは、前記別の貨幣を識別する請求項８に記載の貨幣処理装置。
【請求項１０】
一の貨幣の情報を読み取るステップと、
別の貨幣の情報を読み取るステップと、
前記一の貨幣の前記情報に基づいて前記一の貨幣を識別する間に、前記別の貨幣の前記情報に基づいて前記別の貨幣を識別するステップと、
を含む貨幣処理方法。
【発明の詳細な説明】
【技術分野】
【０００１】
本発明は、貨幣処理装置および貨幣処理方法に関するものである。
【背景技術】
【０００２】
従来、紙幣や硬貨などの貨幣を識別装置で識別し、識別結果に基づいて各貨幣を収納装置に収納する貨幣処理装置が知られている。特許文献１には、識別部において紙幣の真偽、正損、金種などを識別し、識別結果に基づいて紙幣を所定の集積部に集積させる紙幣処理装置が開示されている。
【先行技術文献】
【特許文献】
【０００３】
【特許文献１】特開２０１５−１４１４４２号公報
【発明の概要】
【発明が解決しようとする課題】
【０００４】
近年、紙幣の識別精度の向上が求められており、また、識別処理量が増大している。そのため、紙幣の識別処理に要する時間が長くなる傾向にある。【０００５】
本発明は、貨幣の識別処理に要する時間を短くすることが可能な貨幣処理装置および貨幣処理方法を提供することを目的とする。
【課題を解決するための手段】
【０００６】
上記目的を達成するために、本発明の貨幣処理装置は、貨幣の情報を読み取るセンサ部と、センサ部で読み取られた一の貨幣の情報に基づいて、一の貨幣を識別する第１のコアと、センサ部で読み取られた別の貨幣の情報に基づいて、別の貨幣を識別する第２のコアと、を有する。【０００７】
また、本発明の貨幣処理方法は、一の貨幣および別の貨幣の情報を読み取るステップと、一の貨幣の情報に基づいて一の貨幣を識別する間に、別の貨幣の情報に基づいて別の貨幣を識別するステップと、を含む。
【発明の効果】
【０００８】
本発明の貨幣処理装置および貨幣処理方法によれば、貨幣の識別処理に要する時間を短くすることが可能である。
【図面の簡単な説明】
【０００９】
【図１】貨幣処理装置の斜視図
【図２】貨幣処理装置の縦断面図
【図３】貨幣処理装置の制御系の構成を示すブロック図
【図４】識別制御部がシングルコアＣＰＵで構成された場合に実行される識別処理のタイミングチャート
【図５Ａ】識別制御部が実行可能な識別処理の一例を説明する図
【図５Ｂ】識別制御部で実行される識別処理を説明する図
【図６】貨幣処理装置で実行される識別処理のタイミングチャート
【発明を実施するための形態】
【００１０】
以下、本発明の実施の形態について、図面を参照しながら説明する。なお、同じ構成要素には同じ符号を付している。また、図面は、理解しやすくするためにそれぞれの構成要素を模式的に示している。また、本明細書では、図１、２の矢印で示す方向を便宜的に上、下、前、後として説明を進める。
【００１１】
図１は、本実施の形態に係る貨幣処理装置１００の斜視図である。貨幣処理装置１００は、例えば、紙幣処理装置である。また、貨幣処理装置１００は、紙幣処理装置に限られるものではなく、硬貨処理装置などであってもよい。
【００１２】
貨幣処理装置１００は、入金部１０と、リジェクト部２０と、操作表示部３０とを有する。
【００１３】
入金部１０は、貨幣処理装置１００の上部前方に設けられている。入金部１０は、貨幣処理装置１００の内部に貨幣を繰り出す。入金部１０は、紙幣検知センサおよび紙幣繰出機構を備えており、紙幣検知センサが紙幣を検知すると、紙幣繰出機構は、紙幣を一枚ずつ内部に向けて繰り出す。
【００１４】
リジェクト部２０は、貨幣処理装置１００の前面に設けられている。リジェクト部２０は、後に説明する識別部によってリジェクト紙幣であると識別された紙幣を集積する。リジェクト部２０は、紙幣検知センサを備えており、紙幣検知センサは、リジェクト部２０における紙幣の有無を検知する。
【００１５】
操作表示部３０は、貨幣処理装置１００に対する指示操作が入力されるとともに、貨幣処理装置１００において実行された処理の処理結果などを表示する操作表示装置である。操作表示部３０は、例えば、タッチパネルで構成される。
【００１６】
操作表示部３０は、例えば、リジェクト部２０に設けられた紙幣検知センサが紙幣を検知した場合、リジェクト部２０に紙幣が存在する旨の表示を行う。
【００１７】
また、貨幣処理装置１００は、後に説明する収納部へのアクセスを遮断するシャッタ４０を備える。図１には、シャッタ４０によって収納部７０が覆われている状態が示されている。
【００１８】
図２は、本実施の形態に係る貨幣処理装置１００の縦断面図である。貨幣処理装置１００は、内部に、搬送部５０、識別部６０、収納部７０を有する。
【００１９】
搬送部５０は、入金部１０から繰り出された紙幣を収納部７０またはリジェクト部２０に搬送する搬送装置である。搬送部５０は、ローラ、ベルトおよびこれらの駆動機構の組み合わせによって構成される。
【００２０】
搬送部５０には分岐爪５１が設けられており、分岐爪５１は、搬送されてきた紙幣を収納部７０またはリジェクト部２０に振り分ける。
【００２１】
識別部６０は、搬送部５０上に設けられており、入金部１０から繰り出された紙幣を識別する識別装置である。識別部６０は、フォトセンサ６１、光学ラインセンサ６２、厚み検知センサ６３および磁気ラインセンサ６４を有する。
【００２２】
フォトセンサ６１は、搬送部５０を挟んで互いに対向するように設置された発光部と、受光部とを備える。搬送部５０を搬送されてきた紙幣がフォトセンサ６１に到達すると、発光部から照射された光は、紙幣によって遮られる。これにより、フォトセンサ６１は、紙幣が識別部６０に到達したことを検知する。
【００２３】
光学ラインセンサ６２は、紙幣の画像を読み取る画像センサである。光学ラインセンサ６２は、例えば、ＣＩＳ（Ｃｏｎｔａｃｔ  Ｉｍａｇｅ  Ｓｅｎｓｏｒ）である。光学ラインセンサ６２は、紙幣の表裏の反射画像および透過画像などの画像情報を取得する。
【００２４】
厚み検知センサ６３は、紙幣の厚みを検知するセンサである。
【００２５】
磁気ラインセンサ６４は、紙幣に塗布されている磁気インクの磁気量を検知するセンサである。
【００２６】
識別部６０は、光学ラインセンサ６２が取得した画像情報に基づいて、紙幣の金種を識別する。また、識別部６０は、光学ラインセンサ６２が取得した画像情報に基づいて、紙幣の表裏が何れの方向を向いた状態で搬送されているかを識別する。
【００２７】
また、識別部６０は、光学ラインセンサ６２が取得した画像情報、および、磁気ラインセンサ６４が取得した磁気情報に基づいて、紙幣の真偽を識別する。
【００２８】
また、識別部６０は、光学ラインセンサ６２が取得した画像情報、および、厚み検知センサ６３が検知した紙幣の厚みに基づいて、紙幣の正損を識別する。
【００２９】
識別部６０において、処理対象の金種以外の紙幣、偽券、損券であると識別された紙幣は、リジェクト紙幣と識別され、搬送部５０によってリジェクト部２０に搬送される。
【００３０】
収納部７０は、識別部６０によってリジェクト紙幣であると識別された紙幣以外の紙幣を収納する収納装置である。収納部７０は、紙幣を収納する収納領域７１、および、搬送部５０によって搬送されてきた紙幣を収納領域７１に向けて１枚ずつ繰り出す羽根車７２を有している。収納部７０に搬送された紙幣は、羽根車７２によって収納領域７１に集積され、収納される。
【００３１】
なお、貨幣処理装置１００は、複数の収納部７０を有し、識別部６０で識別された金種ごとに分別して紙幣を各収納部７０に収納するようにしてもよい。
【００３２】
紙幣処理装置１００は、収納部７０の前面に前述のシャッタ４０と、シャッタ４０を移動させるシャッタ駆動部（不図示）とを有する。シャッタ４０は、収納部７０を開放状態と閉止状態とに切り替える開閉部材である。シャッタ４０は、縦断面が円弧状に形成されており、シャッタ駆動部が駆動することによって当該円弧の中心を回動中心として開放位置と閉止位置との間を移動する。シャッタ４０が開放位置に移動すると、外部から収納部７０へのアクセスが可能となり、収納部７０に収納された紙幣が取り出される。なお、図２では、シャッタ４０の閉止位置が実線で示され、シャッタ４０の開放位置が点線で示されている。
【００３３】
次に、本実施の形態に係る貨幣処理装置１００の制御系の構成について説明する。図３は、本実施の形態に係る貨幣処理装置１００の制御系の構成を示すブロック図である。
【００３４】
貨幣処理装置１００は、制御部８０を有している。制御部８０は、入金部１０の紙幣検知センサおよび紙幣繰出機構、リジェクト部２０の紙幣検知センサ、操作表示部３０、シャッタ駆動部４１、搬送部５０、識別部６０、ならびに、収納部７０の羽根車７２に接続されており、これら各部を制御する。
【００３５】
制御部８０は、例えば、ＣＰＵ（Ｃｅｎｔｒａｌ  Ｐｒｏｃｅｓｓｉｎｇ  Ｕｎｉｔ）、メモリなどで構成される。
【００３６】
識別部６０は、上述した各センサに加え、識別記憶部６５および識別制御部６６を備える。
【００３７】
識別記憶部６５は、紙幣の金種、真偽、正損などを識別する際の基準となる画像情報、磁気情報および紙幣の厚みの情報などのテンプレートを記憶する。また、識別記憶部６５は、光学ラインセンサ６２が取得した紙幣の画像情報、厚み検知センサ６３が取得した紙幣の厚みの情報、および、磁気ラインセンサ６４が取得した紙幣の磁気情報を一時的に記憶する。
【００３８】
識別制御部６６は、光学ラインセンサ６２、厚み検知センサ６３および磁気ラインセンサ６４が取得した情報と識別記憶部６５に記憶された識別の基準となる各テンプレートとを照合することにより、紙幣の識別を行う。
【００３９】
識別制御部６６は、第１のコア６５１、第２のコア６５２および第３のコア６５３を備えている。すなわち、識別制御部６６は、マルチコアＣＰＵを含んで構成される。ここで、マルチコアＣＰＵとは、一つのＣＰＵパッケージ内に複数のプロセッサコアを搭載した処理装置である。識別制御部６６は、各コアにおいて並列に識別処理を実行することができる。
【００４０】
識別制御部６６は、第１のコア６５１に接続される第１のキャッシュ６５１ａ、第２のコア６５２に接続される第２のキャッシュ６５２ａ、および、第３のコア６５３に接続される第３のキャッシュ６５３ａを備える。
【００４１】
第１のキャッシュ６５１ａ、第２のキャッシュ６５２ａおよび第３のキャッシュ６５３ａは、それぞれ、識別記憶部６５から読み出された情報などが一時的に格納される記憶装置である。
【００４２】
第１のコア６５１は第１のキャッシュ６５１ａに一時的に格納された情報を利用して紙幣の識別を行う。また、第２のコア６５２は第２のキャッシュ６５２ａに一時的に格納された情報を利用して紙幣の識別を行う。また、第３のコア６５３は第３のキャッシュ６５３ａに一時的に格納された情報を利用して紙幣の識別を行う。
【００４３】
また、第１のコア６５１、第２のコア６５２および第３のコア６５３は、それぞれ互いにバス（不図示）で接続されており、第１のコア６５１、第２のコア６５２および第３のコア６５３は、当該バスを介して互いに通信する。
【００４４】
識別処理では、第１のコア６５１が、識別部６０の各センサで取得された一の紙幣の情報に基づいて当該一の紙幣の識別を行う。また、第２のコア６５２が、各センサで取得された別の紙幣の情報に基づいて当該別の紙幣の識別を行う。また、第３のコア６５３が、各センサで取得されたさらに別の紙幣の情報に基づいて、当該さらに別の紙幣の識別を行う。すなわち、識別制御部６６では、紙幣の識別処理を実行する各コアが紙幣ごとに割り当てられる。なお、第１のコア６５１、第２のコア６５２および第３のコア６５３は繰り返し、搬送部５０によって搬送されている紙幣を識別する。また、第２のコア６５２によって識別される別の紙幣は、第１のコア６５１によって識別される一の紙幣の後に搬送される紙幣であり、第３のコア６５３によって識別されるさらに別の紙幣は、第２のコア６５２によって識別される別の紙幣の後に搬送される貨幣である。
【００４５】
ここで、仮に識別制御部６６が一のコアを備えるシングルコアＣＰＵで構成された場合、識別制御部６６において紙幣の識別処理がどのように行われるかについて説明する。
【００４６】
図４は、識別制御部６６がシングルコアＣＰＵで構成された場合に実行される識別処理のタイミングチャートである。図４において、（１）、（２）、（３）、（４）、（５）、（６）は、搬送部５０上における紙幣の搬送状態を時系列で示している。なお、図４では、説明の簡略化のため、識別部６０の厚み検知センサ６３および磁気ラインセンサ６４の図示を省略している。搬送部５０は、各紙幣を一定の速度で搬送する。よって、紙幣の移動距離と移動に要する時間は比例する。したがって、図４において、横方向の長さは、時間の長さを表している。すなわち、図４において、横軸は、紙幣搬送方向の位置を示す軸であり、かつ、時間軸である。
【００４７】
また、ｔ１は、識別制御部６６が制御部８０から紙幣の識別結果を要求する識別結果要求信号を受信するタイミングを示す。識別制御部６６は、識別結果要求信号を受信すると、制御部８０に紙幣の識別結果を送信する。また、ｔ１は、識別制御部６６において、紙幣の識別処理を完了させるべきタイミングを示す。紙幣の識別処理を完了させるべきタイミングｔ１は、紙幣が分岐爪５１に到達するタイミングに基づいて決定される。すなわち、制御部８０が紙幣をリジェクト部２０または収納部７０に振り分けるためには、紙幣が搬送部５０上に設けられた分岐爪５１に到達する前に、識別制御部６６から紙幣の識別結果を受信する必要がある。そのため、紙幣の識別処理を完了させるべきタイミングｔ１は、紙幣が分岐爪５１に到達するタイミングよりも前に設定される。
【００４８】
また、矢印Ａ１は、識別制御部６６が光学ラインセンサ６２を最初に通過した第１の紙幣Ｓ１の識別処理を実行していることを示し、矢印Ａ２は、識別制御部６６が、光学ラインセンサ６２を２番目に通過した第２の紙幣Ｓ２の識別処理を実行していることを示している。
【００４９】
（１）は、第１の紙幣Ｓ１が、フォトセンサ６１を通過した後、光学ラインセンサ６２に到達したタイミングの搬送部５０上の紙幣の搬送状態を示している。
【００５０】
（２）は、第１の紙幣Ｓ１が光学ラインセンサ６２を通過し、識別制御部６６が第１の紙幣Ｓ１の識別処理を開始するタイミングにおける搬送部５０上の紙幣の搬送状態を示している。ここで、Ｔ１は、識別制御部６６が第１の紙幣Ｓ１の識別処理を実行するために使用する時間である。なお、Ｓ２は、第１の紙幣Ｓ１の次に識別される第２の紙幣である。
【００５１】
（３）は、第２の紙幣Ｓ２が光学ラインセンサ６２に到達したタイミングの搬送部５０上の紙幣の搬送状態を示している。
【００５２】
（４）は、第２の紙幣Ｓ２が光学ラインセンサ６２を通過したタイミングの搬送部５０上の紙幣の搬送状態を示している。このとき、第１の紙幣Ｓ１の識別処理が開始されてからＴ１時間が経過しておらず、識別制御部６６において第１の紙幣Ｓ１の識別処理は未だ完了していない。このため、識別制御部６６は第２の紙幣Ｓ２の識別処理を開始することができない。なお、Ｓ３は、第２の紙幣Ｓ２の次に識別される第３の紙幣である。
【００５３】
（５）は、第１の紙幣Ｓ１が光学ラインセンサ６２を通過してからＴ１時間が経過したときの搬送部５０上の紙幣の搬送状態を示している。このタイミングで、第１の紙幣Ｓ１の識別処理が完了し、第２の紙幣Ｓ２の識別処理が開始される。
【００５４】
第２の紙幣Ｓ２は、（５）に示される状態から、時間Ｔ２経過後、紙幣の識別処理を完了させるべきタイミングｔ１を迎える。しかしながら、時間Ｔ２は、時間Ｔ１よりも短い。すなわち、識別制御部６６は、第２の紙幣Ｓ２が、紙幣の識別処理を完了させるべきタイミングｔ１を迎えるまでに、第２の紙幣Ｓ２の識別処理を完了させることができない。      
【００５５】
（６）は、第２の紙幣Ｓ２が、紙幣の識別処理を完了させるべきタイミングｔ１を迎えたときの搬送部５０上の紙幣の搬送状態を示している。時間Ｔ３は、時間Ｔ１と時間Ｔ２との差である。（６）に示される状態からＴ３時間経過後、第２の紙幣Ｓ２の識別処理が完了する。この場合、分岐爪５１による第２の紙幣Ｓ２の適切な振り分けができない恐れがある。なお、Ｓ４は、第３の紙幣Ｓ３の次に識別される第４の紙幣Ｓ４である。
【００５６】
図４の矢印Ａ１およびＡ２に示すように、識別制御部６６がシングルコアＣＰＵであった場合、識別制御部６６は、第１の紙幣Ｓ１の識別処理を実行している間は、第２の紙幣Ｓ２の識別処理を開始できない。すなわち、第１の紙幣Ｓ１の識別処理が実行されている間は、識別部６０の各センサにおいて第２の紙幣Ｓ２の情報が取得されているにもかかわらず、識別制御部６６において第２の紙幣Ｓ２の識別処理を開始できない。
【００５７】
したがって、図４に示すように、第２の紙幣Ｓ２の識別処理の開始タイミングが遅れ、識別処理を完了させるべきタイミングｔ１までに第２の紙幣Ｓ２の識別処理を完了させることができない場合がある。
【００５８】
上述したような、識別制御部６６がシングルコアＣＰＵで構成された場合に生じうる不具合の発生を抑えるため、本実施の形態に係る貨幣処理装置１００では、識別制御部６６がマルチコアＣＰＵで構成されている。さらに、本実施の形態に係る貨幣処理装置１００では、識別制御部６６がマルチコアＣＰＵで構成されているのみならず、識別制御部６６の各コアがそれぞれ互いに異なる紙幣の識別処理を実行する。
【００５９】
ここで、マルチコアＣＰＵで構成される識別制御部６６の各コアそれぞれに、紙幣の金種、真偽および正損を識別する処理を割り当てた場合に、識別制御部６６で実行される紙幣の識別処理について説明する。
【００６０】
図５Ａは、マルチコアＣＰＵで構成された識別制御部６６の各コアそれぞれが紙幣の金種、真偽および正損の何れか一つを識別する場合に識別制御部６６で実行される識別処理の一例を説明する図である。
【００６１】
識別部６０に最初に搬送された第１の紙幣Ｓ１の情報が各センサにおいて取得されると、第１のコア６５１は、識別記憶部６５から第１の紙幣Ｓ１の画像情報および第１の紙幣Ｓ１の金種を識別するための基準となる画像のテンプレートを読み出す。これによって、第１の紙幣Ｓ１の画像のおよび第１の紙幣Ｓ１の金種を識別するための基準となる画像のテンプレートは第１のキャッシュ６５１ａにも格納される。第１のコア６５１は、第１のキャッシュ６５１ａに格納されたこれらの情報および必要に応じて識別記憶部６５から読み出す情報に基づいて第１の紙幣Ｓ１の金種を識別する。ここで、必要に応じて識別記憶部６５から読み出す情報とは、例えば、第１のキャッシュ６５１ａの記憶容量などの関係で、第１のキャッシュ６５１ａに格納されなかった情報である。
【００６２】
第１のコア６５１は、第１の紙幣Ｓ１の金種の識別が完了すると、第１の紙幣Ｓ１の金種の識別結果を識別記憶部６５に格納する。また、第１のコア６５１は、第２のコア６５２に対して、第１の紙幣Ｓ１の金種の識別結果を送信する。
【００６３】
また、第１のコア６５１は、識別記憶部６５から識別部６０に２番目に搬送された第２の紙幣Ｓ２の画像情報および第２の紙幣Ｓ２の金種を識別するための基準となる画像のテンプレートを読み出す。これによって、識別部６０に２番目に搬送された第２の紙幣Ｓ２の画像情報および第２の紙幣Ｓ２の金種を識別するための基準となる画像のテンプレートは第１のキャッシュ６５１ａにも格納される。第１のコア６５１は、第１のキャッシュ６５１ａに格納されたこれらの情報および必要に応じて識別記憶部６５から読み出す情報に基づいて第２の紙幣Ｓ２の金種の識別を行う。
【００６４】
第１のコア６５１は、第２の紙幣Ｓ２の金種の識別が完了すると、第２の紙幣Ｓ２の金種の識別結果を識別記憶部６５に格納する。また、第１のコア６５１は、第２のコア６５２に対して、第２の紙幣Ｓ２の金種の識別結果を送信する。
【００６５】
第１のコア６５１は、これ以降、識別部６０に搬送された紙幣に対して同様の処理を実行する。
【００６６】
第２のコア６５２は、第１のコア６５１から第１の紙幣Ｓ１の金種の識別結果を受信すると、識別記憶部６５から第１の紙幣Ｓ１の画像情報および磁気情報を読み出す。これによって、第１の紙幣Ｓ１の画像情報および磁気情報は第２のキャッシュ６５２ａにも格納される。また、第２のコア６５２は、識別記憶部６５から第１の紙幣Ｓ１の真偽を識別するための基準となる画像および磁気のテンプレートを読み出す。これによって、第１の紙幣Ｓ１の真偽を識別するための基準となる画像および磁気のテンプレートは第２のキャッシュ６５２ａにも格納される。第２のコア６５２は、第２のキャッシュ６５２ａに格納されたこれらの情報および必要に応じて識別記憶部６５から読み出す情報に基づいて、第１の紙幣Ｓ１の真偽を識別する。ここで、必要に応じて識別記憶部６５から読み出す情報とは、例えば、第２のキャッシュ６５２ａの記憶容量などの関係で、第２のキャッシュ６５２ａに格納されなかった情報である。
【００６７】
第２のコア６５２は、第１の紙幣Ｓ１の真偽の識別が完了すると、第１の紙幣Ｓ１の真偽の識別結果を識別記憶部６５に格納する。また、第２のコア６５２は、第３のコア６５３に対して、第１の紙幣Ｓ１の真偽の識別結果を送信する。
【００６８】
第２のコア６５２は、第１のコア６５１から第２の紙幣Ｓ２の金種の識別結果を受信すると、識別記憶部６５から第２の紙幣Ｓ２の画像情報および磁気情報を読み出す。これによって、第２の紙幣Ｓ２の画像情報および磁気情報は第２のキャッシュ６５２ａにも格納される。また、第２のコア６５２は、識別記憶部６５から第２の紙幣Ｓ２の真偽を識別するための基準となる画像および磁気のテンプレートを読み出す。これによって、第２の紙幣Ｓ２の真偽を識別するための基準となる画像および磁気のテンプレートは第２のキャッシュ６５２ａにも格納される。第２のコア６５２は、第２のキャッシュ６５２ａに格納されたこれらの情報および必要に応じて識別記憶部６５から読み出す情報に基づいて、第２の紙幣Ｓ２の真偽の識別を行う。
【００６９】
第２のコア６５２は、第２の紙幣Ｓ２の真偽の識別が完了すると、第２の紙幣Ｓ２の真偽の識別結果を識別記憶部６５に格納する。また、第２のコア６５２は、第３のコア６５３に対して、第２の紙幣Ｓ２の真偽の識別結果を送信する。
【００７０】
第２のコア６５２は、これ以降、識別部６０に搬送された紙幣に対して同様の処理を実行する。
【００７１】
第３のコア６５３は、第２のコア６５２から第１の紙幣Ｓ１の真偽の識別結果を受信すると、識別記憶部６５から第１の紙幣Ｓ１の画像情報および厚みの情報を読み出す。これによって、第１の紙幣Ｓ１の画像情報および厚みの情報は第３のキャッシュ６５３ａにも格納される。また、第３のコア６５３は、識別記憶部６５から第１の紙幣Ｓ１の正損を識別するための基準となる画像および紙幣の厚みのテンプレートを読み出す。これによって、第１の紙幣Ｓ１の正損を識別するための基準となる画像および紙幣の厚みのテンプレートは第３のキャッシュ６５３ａにも格納される。第３のコア６５３は、第３のキャッシュ６５３ａに格納されたこれらの情報および必要に応じて識別記憶部６５から読み出す情報に基づいて、第１の紙幣Ｓ１の正損の識別を行う。ここで、必要に応じて識別記憶部６５から読み出す情報とは、例えば、第３のキャッシュ６５３ａの記憶容量などの関係で、第３のキャッシュ６５３ａに格納されなかった情報である。
【００７２】
第３のコア６５３は、第１の紙幣Ｓ１の正損の識別が完了すると、第１の紙幣Ｓ１の正損の識別結果を識別記憶部６５に格納する。
【００７３】
第３のコア６５３は、第２のコア６５２から第２の紙幣Ｓ２の真偽の識別結果を受信すると、識別記憶部６５から第２の紙幣Ｓ２の画像情報および厚みの情報を読み出す。これによって、第２の紙幣Ｓ２の画像情報および厚みの情報は第３のキャッシュ６５３ａにも格納される。また、第３のコア６５３は、識別記憶部６５から第２の紙幣Ｓ２の正損を識別するための基準となる画像および紙幣の厚みのテンプレートを読み出す。これによって、第２の紙幣Ｓ２の正損を識別するための基準となる画像および紙幣の厚みのテンプレートは第３のキャッシュ６５３ａにも格納される。第３のコア６５３は、第３のキャッシュ６５３ａに格納されたこれらの情報および必要に応じて識別記憶部６５から読み出す情報に基づいて、第２の紙幣Ｓ２の正損の識別を行う。
【００７４】
第３のコア６５３は、第２の紙幣Ｓ２の正損の識別が完了すると、第２の紙幣Ｓ２の正損の識別結果を識別制御部６６に格納する。
【００７５】
第３のコア６５３は、これ以降、識別部６０に搬送された紙幣に対して同様の処理を実行する。
【００７６】
識別制御部６６は、所定のタイミングにおいて制御部８０から第１の紙幣Ｓ１の識別結果を要求する識別結果要求信号を受信すると、識別記憶部６５に格納された第１の紙幣Ｓ１の識別結果を制御部８０に送信する。
【００７７】
また、識別制御部６６は、所定のタイミングにおいて制御部８０から第２の紙幣Ｓ２の識別結果を要求する識別結果要求信号を受信すると、識別記憶部６５に格納された第２の紙幣Ｓ２の識別結果を制御部８０に送信する。
【００７８】
識別制御部６６は、以上説明した処理を実行することにより、紙幣の金種、真偽および正損を識別する。
【００７９】
しかし、上述したように第１のコア６５１、第２のコア６５２および第３のコア６５３がそれぞれ紙幣の金種、真偽および正損の何れかを識別する場合、各コア間で紙幣の識別結果の送受信を行うなど、各コア間での通信が必要になる。そのため、第１のコア６５１、第２のコア６５２および第３のコア６５３における通信処理のための処理負荷および処理時間が増大する。結果として、識別制御部６６における紙幣の識別処理の処理時間が増大する。
【００８０】
さらに、第１のコア６５１、第２のコア６５２および第３のコア６５３は、一の紙幣の金種、真偽または正損の何れかの識別処理を完了させた後、次の識別処理の対象となる紙幣の情報を識別記憶部６５から読み出す。このため、第１のコア６５１、第２のコア６５２および第３のコア６５３において、識別記憶部６５からの情報の読み出しに係る処理負荷が増大する。結果として、識別制御部６６における紙幣の識別処理の処理時間が増大する。
【００８１】
また、第１のコア６５１、第２のコア６５２、または、第３のコア６５３の何れかのコアで、エラーが発生した場合、識別部６０に搬送される全ての紙幣の金種、真偽、または、正損の何れかの識別ができなくなる。結果として、識別制御部６６は、紙幣の識別処理を継続することができなくなる。そのため、何れかのコアでエラーが発生した後に識別部６０に搬送された紙幣は、全てリジェクト部２０に搬送されることになる。
【００８２】
以上説明した問題を生じさせないようにするために、本実施の形態に係る貨幣処理装置１００では、マルチコアＣＰＵで構成された識別制御部６６の各コアが一の紙幣の金種、真偽および正損の全ての識別を行う。
【００８３】
以下、本実施の形態に係る紙幣の識別処理について説明する。図５Ｂは、識別制御部６６で実行される識別処理を説明する図である。
【００８４】
第１のコア６５１は、識別部６０の各センサにおいて第１の紙幣Ｓ１の情報が取得されると、識別記憶部６５から第１の紙幣Ｓ１の画像情報、磁気情報および厚みの情報を読み出す。これによって、第１の紙幣Ｓ１の画像情報、磁気情報および厚みの情報は第１のキャッシュ６５１ａにも格納される。また、第１のコア６５１は、識別記憶部６５から第１の紙幣Ｓ１の金種、真偽および正損を識別するための基準となる画像、磁気および紙幣の厚みのテンプレートを読み出す。これによって、第１の紙幣Ｓ１の金種、真偽および正損を識別するための基準となる画像、磁気および紙幣の厚みのテンプレートは第１のキャッシュ６５１ａにも格納される。第１のコア６５１は、第１のキャッシュ６５１ａに格納されたこれらの情報および必要に応じて識別記憶部６５から読み出す情報に基づいて第１の紙幣Ｓ１の金種、真偽および正損の識別を行う。
【００８５】
第１のコア６５１は、第１の紙幣Ｓ１の金種、真偽および正損の識別処理が完了すると、第１の紙幣Ｓ１の識別結果を識別記憶部６５に格納する。
【００８６】
識別部６０は、制御部８０から第１の紙幣Ｓ１に関する識別結果要求信号を受信すると、識別記憶部６５に格納されている第１の紙幣Ｓ１の識別結果を制御部８０に送信する。
【００８７】
第２のコア６５２は、識別部６０の各センサにおいて第２の紙幣Ｓ２の情報が取得されると、識別記憶部６５から第２の紙幣Ｓ２の画像情報、磁気情報および厚みの情報を読み出す。これによって、第２の紙幣Ｓ２の画像情報、磁気情報および厚みの情報は第２のキャッシュ６５２ａにも格納される。また、第２のコア６５２は、識別記憶部６５から第２の紙幣Ｓ２の金種、真偽および正損を識別するための基準となる画像、磁気および紙幣の厚みのテンプレートを読み出す。これによって、第２の紙幣Ｓ２の金種、真偽および正損を識別するための基準となる画像、磁気および紙幣の厚みのテンプレートは第２のキャッシュ６５２ａにも格納される。
【００８８】
第２のコア６５２は、第２のキャッシュ６５２ａに格納されたこれらの情報および必要に応じて識別記憶部６５から読み出す情報に基づいて第２の紙幣Ｓ２の金種、真偽および正損の識別を行う。第２のコア６５２は、第１のコア６５１で第１の紙幣Ｓ１の識別処理が実行されているか否かにかかわらず、これら処理を実行する。
【００８９】
第２のコア６５２は、第２の紙幣Ｓ２の金種、真偽および正損の識別処理が完了すると、第２の紙幣Ｓ２の識別結果を識別記憶部６５に格納する。
【００９０】
識別部６０は、制御部８０から第２の紙幣Ｓ２に関する識別結果要求信号を受信すると、識別記憶部６５に格納されている第２の紙幣Ｓ２の識別結果を制御部８０に送信する。
【００９１】
第３のコア６５３は、識別部６０の各センサにおいて第３の紙幣Ｓ３の情報が取得されると、識別記憶部６５から第３の紙幣Ｓ３の画像情報、磁気情報および厚みの情報を読み出す。これによって、第３の紙幣Ｓ３の画像情報、磁気情報および厚みの情報は第３のキャッシュ６５３ａにも格納される。
【００９２】
また、第３のコア６５３は、第３の紙幣Ｓ３の金種、真偽および正損を識別するための基準となる画像、磁気および紙幣の厚みのテンプレートを読み出す。これによって、第３の紙幣Ｓ３の金種、真偽および正損を識別するための基準となる画像、磁気および紙幣の厚みのテンプレートは第３のキャッシュ６５３ａにも格納される。第３のコア６５３は、第３のキャッシュ６５３ａに格納されたこれらの情報および必要に応じて識別記憶部６５から読み出す情報に基づいて第３の紙幣Ｓ３の金種、真偽および正損の識別を行う。
【００９３】
第３のコア６５３は、第１のコア６５１または第２のコア６５２で第１の紙幣Ｓ１または第２の紙幣Ｓ２の識別処理が実行されているか否かにかかわらず、これらの処理を実行する。
【００９４】
第３のコア６５３は、第３の紙幣Ｓ３の金種、真偽および正損の識別が完了すると、第３の紙幣Ｓ３の識別結果を識別記憶部６５に格納する。
【００９５】
識別部６０は、制御部８０から第３の紙幣Ｓ３に関する識別結果要求信号を受信すると、識別記憶部６５に格納されている第３の紙幣Ｓ３の識別結果を制御部８０に送信する。
【００９６】
以上説明したように、本実施の形態に係る貨幣処理装置１００では、マルチコアＣＰＵで構成された識別記憶部６５の各コアがそれぞれ、一の紙幣の金種、真偽および正損の全てを識別する。したがって、識別制御部６６は、各コア間において紙幣の識別結果の送受信を行う必要がない。そのため、第１のコア６５１、第２のコア６５２および第３のコア６５３における通信処理のための処理負荷および処理時間を抑えることができる。結果として、識別制御部６６における紙幣の識別処理の処理時間を短くすることができる。
【００９７】
また、第１のコア６５１、第２のコア６５２および第３のコア６５３において、金種、真偽、正損の識別が行われるごとに各コアに接続されたキャッシュに格納された情報は書き換えられる必要がない。このため、第１のコア６５１、第２のコア６５２および第３のコア６５３は、識別記憶部６５から情報を読み出す処理の実行回数を減らすことができる。結果として、第１のコア６５１、第２のコア６５２および第３のコア６５３の処理負荷を低減し、紙幣の識別処理の処理時間を短くすることができる。
【００９８】
また、第１のコア６５１、第２のコア６５２および第３のコア６５３を含むコア群の何れかのコアでエラーが発生した場合、識別制御部６６は、コア群に含まれる他のコアを用いて識別処理を継続することができる。そのため、識別制御部６６の何れかのコアでエラーが発生しても、紙幣の識別処理が停止されることを回避することができる。換言すれば、エラーが発生したコアは紙幣の識別処理を完了できないため、当該エラーが発生したコアで識別されていた紙幣は、リジェクト部２０に搬送される。しかし、エラーが発生したコア以外の残りのコアは、紙幣の識別処理を完了させ、また、搬送部５０によって搬送されている後続の紙幣の識別処理も継続して実行できるため、識別制御部６６の何れかのコアでエラーが発生した場合でも、リジェクト部２０に搬送される紙幣を１枚に抑えることができる。このとき、コア群に含まれる残りのコアのうち一のコアは一の紙幣を識別し、別のコアは、一の紙幣の後に搬送される別の紙幣を識別し、さらに、一のコアは、別の紙幣の後に搬送されるさらに別の紙幣を識別する。
【００９９】
次に、本実施の形態に係る貨幣処理装置１００で実行される識別処理の流れについて図６を用いて説明する。図６は、貨幣処理装置１００で実行される識別処理を示すタイミングチャートである。なお、図６における横軸は、図４と同様、紙幣搬送方向の位置を示す軸であり、かつ、時間軸である。
【０１００】
（１）は、第１の紙幣Ｓ１がフォトセンサ６１を通過後、光学ラインセンサ６２に到達したタイミングの搬送部５０上の紙幣の搬送状態を示している。
【０１０１】
（２）は、第１の紙幣Ｓ１が光学ラインセンサ６２を通過し、第１のコア６５１が第１の紙幣Ｓ１の識別処理を開始するタイミングにおける搬送部５０上の紙幣の搬送状態を示している。ここで、Ｔ１は、第１のコア６５１が第１の紙幣Ｓ１の識別処理を実行するために使用する時間である。
【０１０２】
（３）は、第２の紙幣Ｓ２が光学ラインセンサ６２に到達したタイミングにおける搬送部５０上の紙幣の搬送状態を示している。
【０１０３】
（４）は、第２の紙幣Ｓ２が光学ラインセンサ６２を通過し、第２のコア６５２が第２の紙幣Ｓ２の識別処理を開始するタイミングにおける搬送部５０上の紙幣の搬送状態を示している。ここで、Ｔ１は、第２のコア６５２が第２の紙幣Ｓ２の識別処理を実行するために使用する時間である。このとき、第１のコア６５１での第１の紙幣Ｓ１の識別処理は未だ完了していない。しかし、第２のコア６５２は、第２の紙幣Ｓ２の識別処理を開始する。
【０１０４】
（５）は、第１の紙幣Ｓ１が光学ラインセンサ６２を通過してからＴ１時間が経過したときの搬送部５０上の紙幣の搬送状態を示している。このタイミングにおいて第１のコア６５１での第１の紙幣Ｓ１の識別処理が完了する。
【０１０５】
（６）は、第２の紙幣Ｓ２が光学ラインセンサ６２を通過してからＴ１時間が経過したときの搬送部５０上の紙幣の搬送状態を示している。このタイミングにおいて第２のコア６５２での第２の紙幣Ｓ２の識別処理が完了する。
【０１０６】
すなわち、本実施の形態に係る貨幣処理装置１００では、図６の矢印Ａ１およびＡ２で示すように、第１のコア６５１において第１の紙幣Ｓ１の識別処理が実行されている状態であっても、第２のコア６５２は、第２の紙幣Ｓ２の識別処理を開始する。その結果、第２のコア６５２が第２の紙幣Ｓ２の識別処理を開始してから、紙幣の識別処理を完了させるべきタイミングｔ１を迎えるまでに、Ｔ１時間が経過する。すなわち、第２のコア６５２は、紙幣の識別処理を完了させるべきタイミングｔ１を迎えるまでに、第２の紙幣Ｓ２の識別処理を完了させることができる。その結果、分岐爪５１による第２の紙幣Ｓ２の適切な振り分けが確実に行なわれる。
【０１０７】
なお、上述した実施の形態では、識別制御部６６が３つコアを有し、これらを用いて紙幣の識別処理を実行する例について説明した。しかし、識別制御部６６が有するコアの数は、３つに限られず、２つであっても、４つ以上であってもよい。
【０１０８】
また、上述した実施の形態では、識別制御部６６をマルチコアＣＰＵによって構成した。しかし、識別制御部６６の構成はこれに限られず、シングルコアで構成されるＣＰＵを複数備えるものであってもよい。この場合も上述した実施の形態と同様に、各ＣＰＵのそれぞれが、一の紙幣の金種、真偽および正損の全ての識別処理を実行する。これにより、上述した実施の形態と同様の効果を得ることができる。
【産業上の利用可能性】
【０１０９】
本発明は、貨幣処理装置および貨幣処理方法に広く利用可能である。
【符号の説明】
【０１１０】
１０  入金部
２０  リジェクト部
３０  操作表示部
４０  シャッタ
５０  搬送部
５１  分岐爪
６０  識別部
６１  フォトセンサ
６２  光学ラインセンサ
６３  厚み検知センサ
６４  磁気ラインセンサ
６５  識別記憶部
６６  識別制御部
６５１  第１のコア
６５１ａ  第１のキャッシュ
６５２  第２のコア
６５２ａ  第２のキャッシュ
６５３  第３のコア
６５３ａ  第３のキャッシュ
Ｓ１  第１の紙幣
Ｓ２  第２の紙幣
Ｓ３  第３の紙幣
Ｓ４  第４の紙幣
【図１】
2020003370.tif 000003
【図２】
2020003370.tif 000004
【図３】
2020003370.tif 000005
【図４】
2020003370.tif 000006
【図５Ａ】
2020003370.tif 000007
【図５Ｂ】
2020003370.tif 000008
【図６】
2020003370.tif 000009
【国際調査報告】
2020003370.tif 000010
2020003370.tif 000011
2020003370.tif 000012